(57)【要約】【課題】  骨格模型の所定の位置に取り付けることができるようにして、筋肉の骨格に対する付着位置（起始停止の位置）を学ぶことができるようにする、骨格模型に取着可能な筋肉模造体を提供する。また、筋肉模造体が伸びたり縮んだりでき、その動きに追随するよう骨格模型も動かすことができるようにして、筋肉と骨格の関係と動きの理解度を深めることができるようにする、立体的な筋肉骨格模型を提供する。【解決手段】  筋肉骨格模型Ｋ１は、骨格部１と筋肉部２を組み合わせて形成されている。筋肉部２は、骨格部１の筋肉と対応する所定の位置に取り付けたり取り外したりでき、また、伸縮性を有しており取り付けられた骨格模型の動きに伴って伸びたり縮んだりできるよう構成してある。【選択図】        図１
2006323103.tif 000002
【特許請求の範囲】
【請求項１】
特定の筋肉に対応するよう形成してある筋肉部を備えており、当該筋肉部が立体骨格模型の上記筋肉と対応する所定の位置に取り付けたり取り外したりできるよう構成してあることを特徴とする、
筋肉模造体。
【請求項２】
筋肉部は伸縮性を有しており、取り付けられた骨格模型の動きに伴って伸びたり縮んだりできるよう構成してあることを特徴とする、
請求項１記載の筋肉模造体。
【請求項３】
請求項１または２記載の筋肉模造体と、
上記筋肉模造体が特定の筋肉と対応する所定の位置に取り付けたり取り外したりできるよう構成してある立体骨格模型と、
を備えていることを特徴とする、
筋肉骨格模型。
【請求項４】
立体骨格模型は、骨折した状態及びその骨折状態における筋肉の動きが、再現できるよう構成してあることを特徴とする、
請求項３記載の筋肉骨格模型。
【発明の詳細な説明】
【技術分野】
【０００１】
本発明は、医療用教材として使用される、骨格模型に取着可能な筋肉模造体及び筋肉骨格模型に関する。
更に詳しくは、骨格模型の所定の位置に取り付けることができるようにして、筋肉の骨格に対する付着位置（起始停止の位置）を学ぶことができるようにする、骨格模型に取着可能な筋肉模造体に関する。
また、筋肉模造体が伸びたり縮んだりでき、その動きに追随するよう骨格模型も動かすことができる（骨格模型の動きに伴い、それに追随するよう筋肉模造体を縮めたり伸ばしたりできる）ようにして、筋肉と骨格の関係と動きの理解度を深めることができるようにする、立体的な筋肉骨格模型に関する。
【背景技術】
【０００２】
医療系の教育機関において、人体における筋肉と骨格の関係や動きを教える授業では、文献による文字情報だけでなく、これと併用して図や絵、また立体的に形成された骨格模型や筋肉模型等の医療用教材が使われることがある。このような筋肉と骨格の知識は、医者は勿論のこと、理学療法士や柔道整復師等の医療分野及びその関連分野に従事する者にとっても必要なこととされている。例えば、特許文献１には医療用教材として使用される骨格模型が開示されている。
【０００３】
【特許文献１】特開昭６３−３４５７８号公報
【発明の開示】
【発明が解決しようとする課題】
【０００４】
しかし、上記した医療用教材には、次のような課題があった。
まず、図や絵の教材は、当然ながら平面的なものであり実際に動かしたりできない。そのためこれらの教材では情報量に限界があり、筋肉の骨格に対する付着位置や、筋肉と骨格の関係や動きといった事項の十分な説明が困難であった。
【０００５】
筋肉の付着位置が理解できれば、その筋肉が動かすことのできる骨格が、ひいてはその骨格の動きがおおよそ連想できるようになる。従って、筋肉の骨格に対する付着位置を理解することは重要なことである。
【０００６】
また、骨格模型について言えば、立体的に形成されており動かせるものもあるが、これに筋肉を示すものを設けたものはなかった。例えば、特許文献１に開示された骨格模型にも筋肉を示すものは設けられておらず、筋肉と骨格と動きの関係は説明できない。
更に、筋肉模型についても、例えば、上腕二頭筋と上腕三頭筋というような筋肉を示すもの毎に塊状のブロック（パーツ）を設けて、筋肉の配置関係だけを示したものが一般的であり、筋肉と骨格との関係が説明できるものはなかった。
つまり、従来の骨格模型や筋肉模型は、筋肉の動きとそれに追随する特定の骨格の動きがいずれも説明できないので、筋肉と骨格の関係と動きの理解を深めるものにはならなかった。
【０００７】
本発明の目的は、骨格模型の所定の位置に取り付けることができるようにして、筋肉の骨格に対する付着位置（起始停止の位置）を学ぶことができるようにする、骨格模型に取着可能な筋肉模造体を提供することにある。
【０００８】
また、本発明の他の目的は、筋肉を示すもの（筋肉模造体）が伸びたり縮んだりでき、その動きに追随するよう特定の骨格を示すもの（骨格模型）も動かすことができる（骨格を示すもの（骨格模型）の動きに伴い、それに追随するよう筋肉を示すもの（筋肉模造体）を縮めたり伸ばしたりできる）ようにして、筋肉と骨格の関係と動きの理解度を深めることができるようにする、立体的な筋肉骨格模型を提供することにある。
【０００９】
更に、本発明の他の目的は、骨折した場合であって、骨の折れる箇所によって骨折時にどの筋肉が作用するかを示し、更に骨折した箇所近傍の骨がどの方向に転位するのかが理解できるようにする、立体的な筋肉骨格模型を提供することにある。
【００１０】
更にまた、本発明の他の目的は、骨折した場合であって、例えば、腕の伸展時や屈曲時に骨が折れたときの骨の折れ方（骨折線の方向）が理解できるようにする、立体的な筋肉骨格模型を提供することにある。
【課題を解決するための手段】
【００１１】
上記目的を達成するために本発明が講じた手段は次のとおりである。
第１の発明にあっては、
特定の筋肉に対応するよう形成してある筋肉部を備えており、当該筋肉部が立体骨格模型の上記筋肉と対応する所定の位置に取り付けたり取り外したりできるよう構成してあることを特徴とする、
筋肉模造体である。
【００１２】
第２の発明にあっては、
筋肉部は伸縮性を有しており、取り付けられた骨格模型の動きに伴って伸びたり縮んだりできるよう構成してあることを特徴とする、
第１の発明に係る筋肉模造体である。
【００１３】
第３の発明にあっては、
第１または第２の発明に係る筋肉模造体と、
上記筋肉模造体が特定の筋肉と対応する所定の位置に取り付けたり取り外したりできるよう構成してある立体骨格模型と、
を備えていることを特徴とする、
筋肉骨格模型である。
【００１４】
第４の発明にあっては、
立体骨格模型は、骨折した状態及びその骨折状態における筋肉の動きが、再現できるよう構成してあることを特徴とする、
第３の発明に係る筋肉骨格模型である。
【００１５】
（作  用）
本発明に係る筋肉模造体は、特定の筋肉に対応するよう形成してある筋肉部を備えており、当該筋肉部を立体骨格模型の上記筋肉と対応する所定の位置に取り付けたり取り外したりできる。
【００１６】
また、筋肉部が伸縮性を有する筋肉模造体は、取り付けられた骨格模型の動きに伴って伸びたり縮んだりできる。
【００１７】
本発明に係る筋肉骨格模型は、筋肉模造体が立体骨格模型に対して特定の筋肉と対応する所定の位置に取り付けたり取り外したりできる。このうち筋肉模造体の筋肉部が伸縮性を有するものの場合では、筋肉模造体の取り付けられた骨格模型を動かすことにより、この動きに伴って当該筋肉模造体も伸びたり縮んだりできる。
【００１８】
骨折した状態及びその骨折状態における筋肉の動きが、再現できるよう構成してあるものは、骨折した箇所によってどの筋肉が作用するかを示すことができ、更にその筋肉の作用によって骨折した箇所近傍の骨がどの方向に転位するのかを示すことができる。
【発明の効果】
【００１９】
本発明は上記構成を備え、次の効果を有する。
（ａ）本発明によれば、筋肉部を立体骨格模型の上記筋肉と対応する所定の位置に取り付けたり取り外したりできるので、対応する筋肉が人体のどの辺りにあるのか等が覚え易い。また、筋肉の骨格に対する付着位置（起始停止の位置）も理解し易く、その筋肉が動かすことのできる骨格、ひいてはその骨格の動きがおおよそ連想できるようになる。
【００２０】
（ｂ）筋肉部が伸縮性を有するものによれば、当該筋肉部は取り付けられた骨格模型の動きに伴って伸びたり縮んだりできるので、筋肉と骨格の関係と動きが説明できる。従って、本発明に係るものは、従来の模型よりも理解度を深めることができる。
【００２１】
（ｃ）また、本発明に係る筋肉骨格模型のうち、骨折した状態及びその骨折状態における筋肉の動きが、再現できるよう構成してあるものは、骨折した箇所によってどの筋肉が作用するかを示すことができ、更にその筋肉の作用によって骨折した箇所近傍の骨がどの方向に転位するのかを示すことができ、筋肉と骨格の関係と動きが説明できる。
【発明を実施するための最良の形態】
【００２２】
本発明の実施の形態を図面に基づき更に詳細に説明する。
図１は本発明に係る筋肉骨格模型の第１の実施の形態を示す説明図である。
符号Ｋ１は、人体の上半身を模した筋肉骨格模型を示している。筋肉骨格模型Ｋ１は、骨格部１と、筋肉部２を組み合わせて形成されている。
【００２３】
まず、骨格部１について詳述する。
骨格部１は、頭蓋骨に対応する頭蓋骨部材１０と、脊柱に対応する脊柱部材１１と、脚部材１２を備えている。頭蓋骨部材１０は、脊柱部材１１の上端から前方に突出して横方向に回動可能に設けてあるブラケット１１０（図３、図４参照）を介して取り付けてある。脚部材１２は、四箇所の設置部１２０を備えており、脊柱部材１１が立てた状態で設置できるようにしてある。
【００２４】
ブラケット１１０のやや下側には、同様に脊柱部材１１から前方に突出してブラケット１１１が設けてある。ブラケット１１１の先端には、胸骨に対応する胸骨部材１３が脊柱部材１１と略平行な状態になるよう垂下させた状態で取り付けてある。
【００２５】
また、ブラケット１１１のやや下側には、ブラケット１１１より長さの短いブラケット１１２が横方向に延びて設けてある。ブラケット１１２の両端部には連結部１１３，１１３が設けてあり、各連結部１１３には更にブラケット１１４が水平方向に回動可能に取り付けてある。更に、各ブラケット１１４の先端側には連結部１１５（図２参照）が設けてあり、各連結部１１５にはブラケット１１６が上下方向に回動可能に取り付けてある。
【００２６】
ブラケット１１６の所要位置には、肩甲骨に対応する肩甲骨部材１４が取り付けてある。肩甲骨部材１４は、肩甲骨本体部材１４０と、烏口突起に対応する烏口突起部１４１と、肩峰に対応する肩峰部１４２と、関節窩に対応する関節窩部１４３を備えている。
【００２７】
胸骨部材１３と肩甲骨部材１４との間には、鎖骨に対応する鎖骨部材１５が取り付けてある。鎖骨部材１５は、一端を胸骨部材１３の上部と突き合わせ、他端を肩甲骨部材１４を構成する肩峰部１４２と突き合わせて、両端ともに連結材（図示省略）を部材間に架設することで取り付けてある。
【００２８】
また、ブラケット１１６の先端側には軸状の連結部１１７（図１参照）が設けてあり、各連結部１１７には上腕骨と対応する上腕骨部材１６が取り付けてある。上腕骨部材１６は、上部の略球形状に形成した骨頭部１６０を連結部１１７と連結して取り付けてある。上腕骨部材１６は連結部１１７によって外転方向に回動可能である。上腕骨部材１６の先端側には、撓骨に対応する撓骨部材１７と、尺骨に対応する尺骨部材１８が取り付けてある。
【００２９】
次に、筋肉模造体である筋肉部２について詳述する。
筋肉部２は、三角筋に対応する三角筋部材２０と、大胸筋に対応する大胸筋部材と、広背筋に対応する広背筋部材２２を備えている。このうち大胸筋部材は、別体である第一の大胸筋部材２１ａと、第二の大胸筋部材２１ｂによって構成されている。
【００３０】
三角筋部材２０は、伸縮性を有する複数本の紐体２００・・・と、紐体２００・・・の一端に設けてあり所要長さの帯形状を有する係合部材２０１と、上記紐体２００・・・の他端に設けてある係合部材２０２を備えている。紐体２００・・・は並列した状態で係合部材２０１に所要間隔を設けた状態で取り付けてあり、一方、係合部材２０２には束状に集めた状態になるよう取り付けてある。また、三角筋部材２０の所要位置には紐体２００・・・の間隔を固定する間隔保持部材２０３が、紐体２００・・・の長さ方向に移動可能に設けてある。
【００３１】
三角筋部材２０は、骨格部１を構成する肩峰部１４２と鎖骨部材１５間に設けた被係合部材３００に係合部材２０１を係合し、また、上腕骨部材１６に設けた被係合部材３０１に係合部材２０２を係合することで、紐体２００・・・をやや伸ばして張った状態になるようにして骨格部１に着脱可能に取り付けてある。
【００３２】
大胸筋部材を構成する第一の大胸筋部材２１ａと第二の大胸筋部材２１ｂは、上記した三角筋部材２０と略同じ構成を有しており、第一の大胸筋部材２１ａについては、複数本の紐体２１０ａ・・・と、一端に設けた所要長さの帯形状を有する係合部材２１１ａと，他端に設けた係合部材２１２ａを備えて構成してある。第二の大胸筋部材２１ｂについても、複数本の紐体２１０ｂ・・・と、一端に設けた所要長さの帯形状を有する係合部材２１１ｂと、他端に設けた係合部材２１２ｂを備えて構成してある。
【００３３】
第一の大胸筋部材２１ａは、鎖骨部材１５に設けた被係合部材３０２に係合部材２１１ａを係合し、上記した被係合部材３０１のやや上側に設けた被係合部材３０６に係合部材２１２ａを係合することで、紐体２１０ａ・・・をやや伸ばして張った状態になるようにして骨格部１に着脱可能に取り付けてある。
【００３４】
第二の大胸筋部材２１ｂは、胸骨部材１３の側面に設けた被係合部材３０３に係合部材２１１ｂを係合し、上記した被係合部材３０６に係合部材２１２ｂを係合することで、紐体２１０ｂ・・・をやや伸ばして張った状態になるようにして骨格部１に着脱可能に取り付けてある。
【００３５】
広背筋部材２２も上記した三角筋部材２０と略同じ構成を有しており、複数本の紐体２２０・・・と、一端に設けた所要長さの帯形状を有する係合部材２２１と、他端に設けた係合部材２２２を備えて構成してある。また、広背筋部材２２の所要位置には、貫通孔（符号省略）が所要間隔で複数形成してある棒状の間隔保持部材２２３が、各貫通孔に紐体２２０を通した状態で設けてある。間隔保持部材２２３は所要長さを有しており、上部側を肩甲骨部材１４の背面側に固定して取り付けてある。
【００３６】
広背筋部材２２は、脊柱部材１１の側面に設けた被係合部材３０４に係合部材２２１を係合し、被係合部材３０６より上側位置に設けた被係合部材３０５に係合部材２２２を係合することで、紐体２２０・・・をやや伸ばして張った状態になるようにして骨格部１に着脱可能に取り付けてある。
【００３７】
図３を参照する。上記した三角筋部材２０、大胸筋部材２１ａ、２１ｂ、広背筋部材２２を構成する紐体２００、２１０ａ、２１０ｂ、２２０は、伸縮性を有する芯材２８０を備え、その周りに糸を螺旋状に巻いて被覆材２８１として設けた形態を有しており、芯材２８０が緑色を有し、被覆材２８１が白色のものを使用している。なお、紐体の形態はこれに限定するものではなく、また、その色彩も限定するものではない。
【００３８】
本実施の形態において被係合部材と、筋肉部２の各部材を構成する係合部材は、互いに係合可能な面ファスナーを使用した。しかし、これは特に限定するものではなく、例えば、粘着テープ、フックやホック、ボタン等で固定することもできる。また、係合部材と被係合部材によって各部材は骨格部１より着脱可能に設けたが、これも限定するものではなく、例えば、筋肉部２を構成する各部材は、骨格部１に固定した状態となるよう取り付けておくこともできる。
【００３９】
本実施の形態において骨格部１を構成する各部材は、合成樹脂で形成したものを示したが、これは限定するものではなく、例えば、金属、木材、竹材、陶磁器またはこれらの複合物等で形成したものが使用可能である。
【００４０】
（作  用）
図２は図１に示す筋肉骨格模型の右腕側を外転させて、筋肉の伸長状態及び収縮状態と上腕骨部材の移動状態を示す説明図、
図３は紐体における伸長前と伸長後の状態を示す拡大説明図である。
図１ないし図３を参照し、右腕側の上腕骨部材を外転させたときを例に挙げて、筋肉骨格模型の作用と、そのときにおける筋肉と骨格の関係と動きについて説明する。
【００４１】
筋肉骨格模型Ｋ１の右腕側にあたる上腕骨部材１６を図１に示す状態から外方向に回動させる（外転させる）。上腕骨部材１６は、ブラケット１１６の先端側に設けてある連結部１１７によって骨頭部１６０から回動する。実際の人体においてこのような動作は、三角筋が収縮し、大胸筋と広背筋が伸長して上腕骨が引き上げられることによってなされている。筋肉骨格模型Ｋ１の場合では、上腕骨部材１６を外転させることにより、筋肉部２を構成する各部材は両端が骨格部１に取り付けられているので、三角筋部材２０は収縮し、大胸筋部材２１ａ、２１ｂ及び広背筋部材２２は伸長した状態となる。
【００４２】
このように筋肉骨格模型Ｋ１によれば、骨格を示すもの（上腕骨部材１６）の動きに伴い、それに追随するよう筋肉を示すもの（三角筋部材２０の収縮、大胸筋部材２１ａ、２１ｂ及び広背筋部材２２の伸長）を縮めたり伸ばしたりできるので、筋肉と骨格の関係と動きが説明できる。従って、従来の模型よりも理解度を深めることができる。
【００４３】
筋肉骨格模型Ｋ１では、筋肉部２を構成する三角筋部材２０や、大胸筋部材２１ａ、２１ｂ、広背筋部材２２が、骨格部１から着脱可能であるので、これらの部材を骨格部１に取り付けたり取り外したりすることで、対応する筋肉が人体のどの辺りにあるのか等が覚え易い。また、筋肉骨格模型Ｋ１では、筋肉部２が骨格部１から着脱可能であるので、筋肉の骨格に対する付着位置（起始停止の位置）も理解し易く、その筋肉が動かすことのできる骨格、ひいてはその骨格の動きがおおよそ連想できるようになる。
【００４４】
図３を参照する。筋肉骨格模型Ｋ１では、筋肉部２を構成する紐体２００、２１０ａ、２１０ｂ、２２０が芯材２８０と被覆材２８１を備えており、芯材２８０が緑色で被覆材２８１が白色の色彩を有するものを使用しているので、例えば、上腕骨部材１６を外転させたときに伸長する大胸筋部材２１ａ、２１ｂや広背筋部材２２では、紐体２１０ａ、２１０ｂ、２２０が伸びることにより被覆材２８１を構成する糸と糸の隙間が開いて、芯材２８０が露出するようになる。従って、これらの紐体２１０ａ、２１０ｂ、２２０は、全体として緑色が強調された色彩を有するようになり、色彩を通じても伸長する筋肉部２が理解できる。
【００４５】
本実施の形態では、骨格部１及び筋肉部２で構成された筋肉骨格模型Ｋ１を例に挙げて、骨格と筋肉の関係と動きを説明したが、これは筋肉骨格模型Ｋ１を構成する骨格部及び筋肉部を限定するものではない。筋肉骨格模型Ｋ１は、人体を構成する骨格と筋肉に対応するものによって構成可能である。
【００４６】
図４は本発明に係る筋肉骨格模型の第２の実施の形態を示す説明図である。
なお、図４において、上記図１ないし図３で示したものと同一または同等箇所には同一の符号を付して示している。また、以下の説明において構造について上記で示した箇所と重複する説明は、必要な事項を除き省略する。
図４で示す筋肉骨格模型Ｋ２は、右腕側にあたる上腕骨部材の所要位置が折れたときにおける筋肉の動きと骨の転位方向を示すものである。
【００４７】
筋肉骨格模型Ｋ２の上腕骨部材１６ａは、被係合部材３０１と被係合部材３０６の間の位置から分離可能であり、上側に連結部１１７と連結される上側上腕骨部材１６１ａを設け、その下側に下側上腕骨部材１６２ａが接続できるよう設けて構成してある（被係合部材３０１は下側上腕骨部材１６２ａに取り付けてあり、被係合部材３０６は上側上腕骨部材１６１ａに取り付けてある）。筋肉骨格模型Ｋ２では、この上側上腕骨部材１６１ａと下側上腕骨部材１６２ａの分離位置が骨折箇所を示している。
【００４８】
（作  用）
図４を参照し、上腕骨部材１６ａが上側上腕骨部材１６１ａと下側上腕骨部材１６２ａの間の位置、即ち、被係合部材３０１と被係合部材３０６の間の位置から折れたときにおける筋肉骨格模型Ｋ２の作用と、そのときの筋肉と骨格の関係と動きについて説明する。
なお、上記した筋肉骨格模型Ｋ１と共通する構成により生じる同様の作用、効果については説明を省略し、相違する点についてのみ説明する。
【００４９】
筋肉骨格模型Ｋ２は、上側上腕骨部材１６１ａと下側上腕骨部材１６２ａが接続された状態では、上記した筋肉骨格模型Ｋ１と同様、三角筋部材２０、第一の大胸筋部材２１ａ、第二の大胸筋部材２１ｂ及び広背筋部材２２がやや伸びて張った状態で取り付けてある。従って、上腕骨部材１６ａが、被係合部材３０１と被係合部材３０６の間の位置から折れた場合では、まず上側上腕骨部材１６１ａが第一の大胸筋部材２１ａ、第二の大胸筋部材２１ｂ及び広背筋部材２２の収縮する力によって内方側（胸骨部材１３側）に引き寄せられ、続いて三角筋部材２０の収縮する力によって下側上腕骨部材１６２ａがやや上方へ引き上げられた状態となる。
【００５０】
実際の人体で上腕骨における上記と対応する位置が折れた場合では、筋肉は痛みを伴うことにより収縮する性質（筋緊張）を有するので、大胸筋及び広背筋が縮んで上腕骨の骨折箇所より上側を内方に引き寄せ、三角筋も縮むことにより上腕骨の下側が上方に引き寄せられた状態になる。つまり、筋肉骨格模型Ｋ２は、実際の人体と同じような動きをするので、骨の折れる位置によって骨折時にどの筋肉が作用し、そして骨折した位置によって近傍の骨がどの方向に転位するのかといった筋肉と骨格の関係と動きについて説明することができる。
【００５１】
図５は本発明に係る筋肉骨格模型の第３の実施の形態を示す説明図である。
なお、図５において、上記図１ないし図４で示したものと同一または同等箇所には同一の符号を付して示している。また、以下の説明において構造について上記で示した箇所と重複する説明は、必要な事項を除き省略する。
【００５２】
筋肉骨格模型Ｋ３の上腕骨部材１６ｂは、被係合部材３０１の下側の位置から分離可能であり、上側に連結部１１７と連結される上側上腕骨部材１６１ｂを設け、その下側に下側上腕骨部材１６２ｂが接続できるよう設けて構成してある（被係合部材３０１及び被係合部材３０６は上側上腕骨部材１６１ｂに取り付けてある）。
【００５３】
また、筋肉部２を構成するものとして、上腕二頭筋に対応する上腕二頭筋部材２３と、上腕三頭筋に対応する上腕三頭筋部材２４を備えている。
上腕二頭筋部材２３は、伸縮性を有する複数本の紐体２３０・・・と、紐体２３０・・・の一端に設けてある係合部材２３１，２３２と、上記紐体２３０・・・の他端に設けてある係合部材２３３と、紐体２３０・・・の間隔を固定する間隔保持部材２３４を備えている。
【００５４】
上腕二頭筋部材２３は、関節窩部１４３に設けた被係合部材３０７に一端側の一方の係合部材２３１を係合し、烏口突起部１４１に設けた被係合部材３０８に一端側の他方の係合部材２３２を係合し、また、尺骨部材１８に設けた被係合部材３０９に係合部材２３３を係合することで、紐体２３０・・・をやや伸ばして張った状態になるようにして骨格部１に着脱可能に取り付けてある。
【００５５】
上腕三頭筋部材２４は、上腕二頭筋部材２３と略同じ構成を有しており、複数本の紐体２４０・・・と、一端に設けた係合部材２４１，２４２と，他端に設けた係合部材２４３と、間隔保持部材２４４を備えている。
【００５６】
上腕三頭筋部材２４は、上側上腕骨部材１６１ｂに設けた被係合部材３１０に一端側の一方の係合部材２４１を係合し、肩甲骨本体部材１４０の裏側に設けた被係合部材３１１に一端側の他方の係合部材２４２を係合し、また、下側上腕骨部材１６２ｂに設けた被係合部材３１２に係合部材２４３を係合することで、紐体２４０・・・をやや伸ばして張った状態になるようにして骨格部１に着脱可能に取り付けてある。
【００５７】
（作  用）
図５を参照し、上腕骨部材１６ｂが上側上腕骨部材１６１ｂと下側上腕骨部材１６２ｂの間の位置、即ち、被係合部材３０１、３０６の下側の位置から折れたときにおける筋肉骨格模型Ｋ３の作用と、そのときの筋肉と骨格の関係と動きについて説明する。
なお、上記した筋肉骨格模型Ｋ１，Ｋ２と共通する構成により生じる同様の作用、効果については説明を省略し、相違する点についてのみ説明する。
【００５８】
筋肉骨格模型Ｋ３は、上側上腕骨部材１６１ｂと下側上腕骨部材１６２ｂが接続された状態では、上記した筋肉骨格模型Ｋ１と同様、三角筋部材２０、第一の大胸筋部材２１ａ、第二の大胸筋部材２１ｂ及び広背筋部材２２、更にこれらに加えて上腕二頭筋部材２３と上腕三頭筋部材２４がやや伸びて張った状態で取り付けてある。この状態で上腕骨部材１６ｂが、被係合部材３０１、３０６の下側の位置から折れた場合では、まず三角筋部材２０の収縮する力によって上側上腕骨部材１６１ｂがやや外方側に引き寄せられ、続いて下側上腕骨部材１６２ｂが上腕二頭筋部材２３及び上腕三頭筋部材２４の収縮する力によってやや上方へ引き上げられた状態となる。
【００５９】
実際の人体で上腕骨における上記と対応する位置が折れた場合では、三角筋が縮んで上腕骨の骨折箇所より上側を外方に引き寄せ、上腕二頭筋と上腕三頭筋も縮むことにより上腕骨の下側が上方に引き寄せられた状態になる。つまり、筋肉骨格模型Ｋ３は、実際の人体と同じような動きをする。
【００６０】
図６は本発明に係る筋肉骨格模型の第４の実施の形態を示す説明図である。
なお、図６において、上記図１ないし図５で示したものと同一または同等箇所には同一の符号を付して示している。また、以下の説明において構造について上記で示した箇所と重複する説明は、必要な事項を除き省略する。
図６で示す筋肉骨格模型Ｋ４は、幼児（３〜１０歳程度）が腕を伸ばした状態で肘や手掌を衝いて転倒したような場合に発生し易い、伸展型の上腕骨顆上骨折を示すものである。
【００６１】
筋肉骨格模型Ｋ４の上腕骨部材１６ｃは、肘近傍の位置に骨折線が内側から外側に向けて上り傾斜する方向に形成されるよう分離可能であり、上側に連結部１１７と連結される上側上腕骨部材１６１ｃを設け、その下側に下側上腕骨部材１６２ｃが接続できるよう設けて構成してある。
【００６２】
（作  用）
図６を参照し、腕を伸ばした状態で上腕骨部材１６ｃが肘近傍の位置から折れた（伸展型の上腕骨顆上骨折）ときにおける筋肉骨格模型Ｋ４の作用と、そのときの筋肉と骨格の関係と動きについて説明する。
なお、上記した筋肉骨格模型Ｋ１，Ｋ２，Ｋ３と共通する構成により生じる同様の作用、効果については説明を省略し、相違する点についてのみ説明する。
【００６３】
筋肉骨格模型Ｋ４は、上側上腕骨部材１６１ｃと下側上腕骨部材１６２ｃが接続された状態では、上腕二頭筋部材２３と上腕三頭筋部材２４がやや伸びて張った状態で取り付けてある。この状態で上腕骨部材１６ｃに伸展型の上腕骨顆上骨折が発生し、骨折線が内側から外側に向けて上り傾斜する方向に形成された場合では、下側上腕骨部材１６２ｃが上側上腕骨部材１６１ｃよりも外側にスライドするよう移動し、この状態で上腕二頭筋部材２３及び上腕三頭筋部材２４の収縮する力によって下側上腕骨部材１６２ｃがやや上方へ引き上げられた状態となる。
【００６４】
実際の人体で上腕骨における上記と対応する位置が折れた場合では、上腕骨の骨折箇所より下側が外側にスライドするよう移動し、この状態で上腕二頭筋と上腕三頭筋が縮むことにより上腕骨の下側が上方に引き寄せられた状態になる。つまり、筋肉骨格模型Ｋ４は、実際の人体と同じような動きをする。
【００６５】
図７は本発明に係る筋肉骨格模型の第５の実施の形態を示す説明図である。
なお、図７において、上記図１ないし図６で示したものと同一または同等箇所には同一の符号を付して示している。また、以下の説明において構造について上記で示した箇所と重複する説明は、必要な事項を除き省略する。
図７で示す筋肉骨格模型Ｋ５は、幼児（３〜１０歳程度）が腕を曲げた状態で肘や手掌を衝いて転倒したような場合に発生し易い、屈曲型の上腕骨顆上骨折を示すものである。
【００６６】
筋肉骨格模型Ｋ５の上腕骨部材１６ｄは、肘近傍の位置に骨折線が内側から外側に向けて下り傾斜する方向に形成されるよう分離可能であり、上側に連結部１１７と連結される上側上腕骨部材１６１ｄを設け、その下側に下側上腕骨部材１６２ｄが接続できるよう設けて構成してある。
【００６７】
（作  用）
図７を参照し、腕を曲げた状態で上腕骨部材１６ｄが肘近傍の位置から折れた（屈曲型の上腕骨顆上骨折）ときにおける筋肉骨格模型Ｋ５の作用と、そのときの筋肉と骨格の関係と動きについて説明する。
なお、上記した筋肉骨格模型Ｋ１，Ｋ２，Ｋ３，Ｋ４と共通する構成により生じる同様の作用、効果については説明を省略し、相違する点についてのみ説明する。
【００６８】
筋肉骨格模型Ｋ５は、上側上腕骨部材１６１ｄと下側上腕骨部材１６２ｄが接続された状態では、上腕二頭筋部材２３と上腕三頭筋部材２４がやや伸びて張った状態で取り付けてある。この状態で上腕骨部材１６ｄに屈曲型の上腕骨顆上骨折が発生し、骨折線が内側から外側に向けて下り傾斜する方向に形成された場合では、下側上腕骨部材１６２ｄが上側上腕骨部材１６１ｄよりも内側にスライドするよう移動し、この状態で上腕二頭筋部材２３及び上腕三頭筋部材２４の収縮する力によって下側上腕骨部材１６２ｄがやや上方へ引き上げられた状態となる。実際の人体で上腕骨における上記と対応する位置が折れた場合では、上腕骨の骨折箇所より下側が内側にスライドするよう移動し、この状態で上腕二頭筋と上腕三頭筋が縮むことにより上腕骨の下側が上方に引き寄せられた状態になる。つまり、筋肉骨格模型Ｋ５は、実際の人体と同じような動きをする。
【００６９】
図８は本発明に係る筋肉模造体の他の実施の形態を示す説明図である。
符号５は筋肉模造体を示している。筋肉模造体５は、骨格模型の所定の位置に取り付けて使用するものである。本実施の形態で示す筋肉模造体５は、大胸筋に対応するよう形成されており、骨格模型の胸骨及び鎖骨に対応する位置と、上腕骨に対応する位置に取り付けられる。
【００７０】
筋肉模造体５は、大胸筋に対応する所要の大きさに形成してある筋肉部５０と、筋肉部５０の一端側に設けてあり骨格模型の鎖骨及び胸骨に対応する位置に取り付けられる係合部材５１と、筋肉部５０の他端側に設けてあり骨格模型の上腕骨に対応する位置に取り付けられる係合部材５２を備えている。筋肉部５０は、柔軟性を備え、伸縮性は備えない布で形成されている。係合部材５１，５２は取着手段である。
【００７１】
図９は図８に示す筋肉模造体を図１に示す骨格部１に取り付けた状態を示す説明図である。
筋肉模造体５は、鎖骨と胸骨に対応する位置に被係合部材３０２，３０３が設けてあり、上腕骨に対応する位置に被係合部材３０１が設けてある骨格部１に、係合部材５１，５２を係合させて着脱可能に取り付けてある。なお、骨格部１についての説明は上記に詳述したので省略する。
【００７２】
（作  用）
図８及び図９を参照し、骨格部１に筋肉模造体５を取り付けたり取り外したりするときの作用について説明する。
筋肉模造体５は、このように骨格部１の鎖骨と胸骨に対応する位置と、上腕骨に対応する位置に着脱可能に取り付けることができるものである。従って、骨格部１に取り付けたり取り外したりすることで、大胸筋に対応するよう形成したこの筋肉模造体５が、人体のどの辺りにあるのか等が覚え易い。また、筋肉の骨格に対する付着位置（起始停止の位置）も理解し易く、その筋肉が動かすことのできる骨格、ひいてはその骨格の動きがおおよそ連想できるようになる。
【００７３】
本実施の形態で筋肉模造体５を構成する筋肉部５０は、伸縮性を備えない布で形成したものを示したが、これは限定するものではなく、筋肉部５０は、例えば、伸縮性を有する糸で織成した布やゴム等の材料で形成することもできる。
【００７４】
筋肉模造体５が取り付けられる骨格模型は、上記した骨格部１に限定するものではなく、筋肉模造体が取り付け可能なように被係合手段を設ければ、既存の骨格模型を使用することもできる。
【００７５】
本実施の形態で筋肉模造体５は、大胸筋に対応するよう形成したものを示したが、これは限定するものではなく、その他の各種の筋肉に対応するものが形成できる。
【００７６】
本実施の形態において係合部材と被係合部材は互いに係合可能な面ファスナーを使用したが、特に限定するものではなく、例えば、粘着テープ、フックやホック、ボタン等で固定することもできる。
【００７７】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００７８】
【図１】本発明に係る筋肉骨格模型の第１の実施の形態を示す説明図。
【図２】図１に示す筋肉骨格模型の右腕側を外転させて、筋肉の伸長状態及び収縮状態と上腕骨部材の移動状態を示す説明図。
【図３】紐体における伸長前と伸長後の状態を示す拡大説明図。
【図４】本発明に係る筋肉骨格模型の第２の実施の形態を示す説明図。
【図５】本発明に係る筋肉骨格模型の第３の実施の形態を示す説明図。
【図６】本発明に係る筋肉骨格模型の第４の実施の形態を示す説明図。
【図７】本発明に係る筋肉骨格模型の第５の実施の形態を示す説明図。
【図８】本発明に係る筋肉模造体の他の実施の形態を示す説明図。
【図９】図８に示す筋肉模造体を図１に示す骨格部１に取り付けた状態を示す説明図。
【符号の説明】
【００７９】
Ｋ１，Ｋ２，Ｋ３，Ｋ４，Ｋ５  筋肉骨格模型
１  骨格部
１０  頭蓋骨部材
１１  脊柱部材
１１０  ブラケット
１１１  ブラケット
１１２  ブラケット
１１３  連結部
１１４  ブラケット
１１５  連結部
１１６  ブラケット
１１７  連結部
１２  脚部材
１２０  設置部
１３  胸骨部材
１４  肩甲骨部材
１４０  肩甲骨本体部材
１４１  烏口突起部
１４２  肩峰部
１４３  関節窩部
１５  鎖骨部材
１６，１６ａ，１６ｂ，１６ｃ，１６ｄ  上腕骨部材
１６０  骨頭部
１６１ａ，１６１ｂ，１６１ｃ，１６１ｄ  上側上腕骨部材
１６２ａ，１６２ｂ，１６２ｃ，１６２ｄ  下側上腕骨部材
１７  撓骨部材
１８  尺骨部材
２  筋肉部
２０  三角筋部材
２００  紐体
２０１  係合部材
２０２  係合部材
２０３  間隔保持部材
２１ａ，２１ｂ  大胸筋部材
２１０ａ，２１０ｂ  紐体
２１１ａ，２１１ｂ  係合部材
２１２ａ，２１２ｂ  係合部材
２２  広背筋部材
２２０  紐体
２２１  係合部材
２２２  係合部材
２２３  間隔保持部材
２３  上腕二頭筋部材
２３０  紐体
２３１  係合部材
２３２  係合部材
２３３  係合部材
２３４  間隔保持部材
２４  上腕三頭筋部材
２４０  紐体
２４１  係合部材
２４２  係合部材
２４３  係合部材
２４４  間隔保持部材
３００〜３１２  被係合部材
５  筋肉模造体
５０  筋肉部
５１  係合部材
５２  係合部材
【図１】
2006323103.tif 000003
【図２】
2006323103.tif 000004
【図３】
2006323103.tif 000005
【図４】
2006323103.tif 000006
【図５】
2006323103.tif 000007
【図６】
2006323103.tif 000008
【図７】
2006323103.tif 000009
【図８】
2006323103.tif 000010
【図９】
2006323103.tif 000011